(57)【要約】【課題】表示装置の画面を至近距離から目視する場合でも寄目にならず、眼精疲労を軽減することのできる近接目視装置を提供する。【解決手段】電子機器本体に付設される表示装置の画面２ａを目視対象とし、その画面２ａに正対して同画面２ａを至近距離から目視するのに用いる近接目視装置である。利用者の両眼ＬＥ，ＲＥのいずれか一方に対応して電子機器本体１ａ，１１ｂに連結され、画面２ａに対向する位置でその左右片側に偏って配置される光学素子３を備える。光学素子３は、利用者が画面２ａに向かって光学素子３の偏り側に対応する片眼をその光学素子３に近接させた状態において、画面２ａからの光をその入射方向よりも利用者の両眼ＬＥ，ＲＥの中間寄りとなる内向きに屈折させる。【選択図】図２
2009265469.tif 000002
【特許請求の範囲】
【請求項１】
電子機器本体に付設される表示装置の画面を目視対象とし、その画面に正対して同画面を至近距離から目視するのに用いる近接目視装置であって、
利用者の両眼のいずれか一方に対応して前記電子機器本体に連結され、前記画面に対向する位置でその左右片側に偏って配置される光学素子を備えると共に、
前記光学素子は、利用者が前記画面に向かって前記光学素子の偏り側に対応する片眼をその光学素子に近接させた状態において、前記画面からの光をその入射方向よりも前記利用者の両眼の中間寄りとなる内向きに屈折させることを特徴とする近接目視装置。
【請求項２】
目視対象に正対して同目視対象を至近距離から目視するのに用いる近接目視装置であって、
前記目視対象を目視する利用者の両眼の少なくとも一方に近接する接眼位置に保持されると共に、前記目視対象からの光をその入射方向よりも前記利用者の両眼の中間寄りとなる内向きに屈折させる光学素子と、
前記光学素子を前記接眼位置に保持する保持手段と、
を有して成ることを特徴とする近接目視装置。
【発明の詳細な説明】
【技術分野】
【０００１】
本発明は、所定の目視対象を至近距離から目視するのに用いられる近接目視装置に係わり、特にビデオカメラや携帯電話機などの電子機器に付設される表示装置の画面を至近距離から目視するときに生ずる眼精疲労を軽減することのできる近接目視装置に関する。
【背景技術】
【０００２】
近年、液晶ディスプレイ（ＬＣＤ：Liquid  Crystal  Display）などの表示装置を備えた電子機器の普及が顕著である。例えば、動画を撮影して記録保存することのできるビデオカメラにおいて、その本体に撮影画像を表示するための表示装置を備えたものが一般によく知られている。そして、その種のビデオカメラによれば、撮影中の画像が表示装置の画面に表示されるので、その画面を視ながら動画を撮影することができる。
【０００３】
しかし、ビデオカメラを手で保持しながら撮影を行なう場合、撮影者は手振れを防止すべく腕を折り曲げてカメラを顔面上に保持しながら、表示装置の画面を至近距離から目視するようになりがちであり、そのような姿勢での長時間に及ぶ撮影では寄目の状態が続いて眼精疲労を生じる可能性がある。
【０００４】
尚、近視眼者や遠視眼者は、メガネフレームに保持される凹レンズや凸レンズを透して画面を視ることになるが、近視用メガネや遠視用メガネは水晶体の屈折異常を矯正するものであるから、それらメガネを装着して画面を至近距離から目視した場合も同様に、寄目の状態となって眼精疲労を生じる可能性がある。
【０００５】
一方、右眼用の画像および左眼用の画像を表示する左右２つの表示画面を備えた立体画像表示装置の専用メガネとして、凸レンズを利用者の両眼の外側にオフセットしたものが知られる（例えば、特許文献１）。
【０００６】
そして、特許文献１に開示される専用メガネによれば、オフセットされた左右の凸レンズを透して左右一対の画像の中央にその両画像が重なり合った立体的な虚像を視認することができる。
【０００７】
【特許文献１】特開２００５−２２７６８２号公報
【発明の開示】
【発明が解決しようとする課題】
【０００８】
しかしながら、特許文献１の専用メガネは、左右一対の凸レンズが利用者の両眼外側にオフセットされていることにより、利用者の両眼に対応する左右の表示画面から左右の凸レンズに入射した光が利用者の両眼外側に屈折され、これにより左右表示画面の中央に左右画像が重なった虚像が視認されるようになるところ、利用者はその虚像を寄目の状態で目視することになり、長時間に渡って視続けると眼精疲労が増大する可能性がある。
【０００９】
本発明は以上のような事情に鑑みて成されたものであり、その目的は表示装置の画面を至近距離から目視する場合でも寄目にならず、眼精疲労が生じても、その程度を軽減することのできる近接目視装置を提供することにある。
【課題を解決するための手段】
【００１０】
本発明は上記目的を達成するため、
電子機器本体に付設される表示装置の画面２ａを目視対象とし、その画面２ａに正対して同画面２ａを至近距離から目視するのに用いる近接目視装置であって、
利用者の両眼ＬＥ，ＲＥのいずれか一方に対応して前記電子機器本体１ａ，１１ｂに連結され、前記画面２ａに対向する位置でその左右片側に偏って配置される光学素子３を備えると共に、
前記光学素子３は、利用者が前記画面２ａに向かって前記光学素子３の偏り側に対応する片眼をその光学素子３に近接させた状態において、前記画面２ａからの光をその入射方向よりも前記利用者の両眼ＬＥ，ＲＥの中間寄りとなる内向きに屈折させることを特徴とする。
【００１１】
又、目視対象２ａ，Ｆに正対して同目視対象２ａ，Ｆを至近距離から目視するのに用いる近接目視装置であって、
前記目視対象２ａ，Ｆを目視する利用者の両眼ＬＥ，ＲＥの少なくとも一方に近接する接眼位置に保持されると共に、前記目視対象２ａ，Ｆからの光をその入射方向よりも前記利用者の両眼ＬＥ，ＲＥの中間寄りとなる内向きに屈折させる光学素子３と、
前記光学素子３を前記接眼位置に保持する保持手段５ｂ，５ｃ，６，６１，６２と、
を有して成ることを特徴とする。
【発明の効果】
【００１２】
本発明によれば、利用者の両眼のいずれか一方に対応して電子機器本体に連結され、その電子機器に付設される表示装置の画面に対向する位置でその左右片側に偏って配置される光学素子を備え、利用者が表示装置の画面に向かって光学素子の偏り側に対応する片眼を光学素子に近接させた状態において、その光学素子が画面からの光をその入射方向よりも利用者の両眼の中間寄りとなる内向きに屈折させる構成とされていることから、利用者は画面の実像とは別に両眼の外寄りにずれた画面の虚像を視認することになる。
【００１３】
このため、画面を至近距離から目視しながら寄目にならず、光学素子を介在せずして画面を至近距離から目視する場合に比べて眼精疲労を軽減することができる。
【００１４】
又、光学素子を利用者の両眼の少なくとも一方に近接する接眼位置に保持する保持手段を備えることから、特定電子機器の画面のみならず、書物なども至近距離から寄目にせずして視ることができる。
【発明を実施するための最良の形態】
【００１５】
以下、本発明を図面に基づいて詳しく説明する。図１は本発明に係る近接目視装置をビデオカメラに適用した例を示す。
【００１６】
図１において、１は電子機器としてのビデオカメラであり、その電子機器本体（カメラ本体１ａ）には、表示装置として液晶ディスプレイパネル（ＬＣＤパネル２）が付設されている。
【００１７】
ＬＣＤパネル２は、カメラ本体１ａによる撮影画像や再生画像を表示するためのもので、図１の実線で示される開放位置では撮影画像を表示すべき画面２ａが被写体とは反対の利用者側に向けられるようになっている。つまり、図示例において、ＬＣＤパネル２はその一端縁が旋回支点部２ｂとしてカメラ本体１ａの側面にヒンジ結合され、その旋回支点部２ｂを中心として閉鎖位置と上記開放位置との間で開閉可能とされている。そして、閉鎖位置ではカメラ本体１ａの側面に沿って平行状態となり、開放位置ではカメラ本体１ａの側面に対し直交するよう展開してその画面２ａが上述のように利用者（撮影者）側に向くようになっている。
【００１８】
ここに、本発明に係る近接目視装置は、ＬＣＤパネル２に対応してカメラ本体１ａに取り付けられる光学素子３を備え、この光学素子３を透してＬＣＤパネル２の画面２ａを至近距離から目視できるようになっている。
【００１９】
本例において、その光学素子３には平行でない２つの平面３ａ，３ｂをもつウェッジプリズムが用いられ、その両平面３ａ，３ｂが交差する方向の頂部３ｃ側がヒンジ４を介してカメラ本体１ａに連結されている。そして、この光学素子３はヒンジ４を中心として、開放されたＬＣＤパネル２の画面２ａに対向する位置と、閉じられたＬＣＤパネル２に重なる位置との間で水平方向の旋回移動が可能とされている。尚、ＬＣＤパネル２には、画面２ａとは反対側の面において、光学素子３を収納すべき凹部２ｃが形成されている。
【００２０】
又、光学素子３は、開放されたＬＣＤパネル２の画面２ａに対向する位置で、その左右片側に偏って配置されるようになっている。特に、本例ではＬＣＤパネル２の画面２ａに向かって光学素子３が右側に偏って配置され、利用者が画面２ａを目視すべく画面２ａに正対したとき利用者の右眼が光学素子３に対応するようになっている。
【００２１】
図２は、以上のように構成される近接目視装置の使用態様を示した説明図である。この図で明らかなように、本例において、利用者はＬＣＤパネル２の画面２ａを至近距離から目視する場合、ＬＣＤパネル２に向かって光学素子３の偏り側に対応する右眼ＲＥを光学素子３に近接させ、その光学素子３を透して右眼ＲＥでＬＣＤパネル２の画面２ａを目視しながら、左眼ＬＥではＬＣＤパネル２の画面２ａを直接目視することになる。
【００２２】
又、図２から明らかなように、ＬＣＤパネル２の画面２ａから光学素子３に入射した光が、その入射方向よりも利用者の両眼ＬＥ，ＲＥの中間寄りとなる内向きに屈折され、その屈折光が所定の偏角θをもって光学素子３に入射し、さらに利用者の右眼ＲＥに入射するようになっている。特に、本例ではＬＣＤパネル２の中心部から光学素子３に入射した光が、光学素子３による屈折作用により利用者の右眼ＲＥに対して真正面方向から入射するようになっている。
【００２３】
このため、利用者の右眼ＲＥには右側にシフトしたＬＣＤパネルの虚像２Ｖａが映り、左眼ＬＥにはＬＣＤパネルの実像２Ｒが映る。すると、利用者は実像２Ｒと虚像２Ｖａを左右両眼ＬＥ，ＲＥの視線上に遠ざけて、両眼ＬＥ，ＲＥの視点を実像２Ｒと虚像２Ｖａとが重なる虚像２Ｖｂに一致させようとする。これにより、虚像２Ｖｂを視る両眼ＬＥ，ＲＥの視点は前方（遠方）に移動するので、両眼ＬＥ，ＲＥの水晶体は曲率を小さくして網膜との焦点距離を伸ばすことになる。この結果、網膜上に結像される虚像２Ｖｂは拡大像となる。又、ＬＣＤパネル２が至近距離にありながら、利用者はその虚像２Ｖｂを視認することになるので、遠方を目視する場合と同じく寄目にならず、このため長時間に渡ってＬＣＤパネル２（正確にはその虚像２Ｖｂ）を視続けても眼精疲労を生じ難くなる。
【００２４】
このように、本発明に係る近接目視装置によれば、ビデオカメラ１で動画を撮影しながら、ＬＣＤパネル２の画面２ａに表示される撮影画像を寄目にせずして至近距離から目視することができるが、光学素子３は電子機器としてビデオカメラ本体１ａに設けられることに限らず、液晶ディスプレイその他の表示装置を備えた他の電子機器本体に連結して用いることもできる。
【００２５】
例えば、図３のように携帯電話機に適用することができる。図３において、１１ａ，１１ｂは開閉自在な一対の電話機本体で、一方の電話機本体１１ａに表示装置（液晶ディスプレイ）が一体に組み込まれ、他方の電話機本体１１ｂにはジョイント５ａを介して光学素子３が着脱自在に連結されるようになっている。尚、本例においても、光学素子３は利用者の両眼のいずれか一方に対応して、表示装置の画面２ａに対向する位置でその左右片側に偏って配置され、画面２ａからの光をその入射方向よりも利用者の両眼の中間寄りとなる内向きに屈折させる。
【００２６】
これによれば、受信したメールやテレビ映像などを表示装置の画面２ａに表示しながら、その画面２ａを至近距離から寄目にせずして目視することができる。
【００２７】
ところで、光学素子３を電子機器側に取り付けるのでなく、これを電子機器とは別体として利用者側に取り付ける構成としてもよい。その一例を図４に示して説明すれば、６は利用者の顔面に装着されるメガネフレームであり、このメガネフレーム６には利用者の両眼ＬＥ，ＲＥに対応してレンズ７（近視用凹レンズや遠視用凸レンズ）が取り付けられている。又、本例において、メガネフレーム６にはジョイント５ｂを介してレンズ７の光軸上に光学素子３が着脱自在に設けられ、その光学素子３が利用者の右眼ＲＥに近接する接眼位置（眼球の前方１〜２ｃｍ程度の位置）に保持されるようになっている。
【００２８】
メガネフレーム６およびジョイント５ｂは、光学素子３を上記接眼位置に保持する保持手段となるものであるが、メガネフレーム６は遠近視用のレンズ７を有するものに限らず、これに風防や水中用のメガネ（ゴーグル）を利用することもできる。又、光学素子３を利用者の左右両眼ＬＥ，ＲＥに対応し、両眼ＬＥ，ＲＥの近接位置に設けても良い。
【００２９】
更に、正視者を対象にレンズ７を省略して光学素子３をメガネフレーム６に嵌め込んでもよいし、図５のようにレンズ（凹レンズ７ａ）と光学素子３（ウェッジプリズム）、あるいは図６のようにレンズ（凸レンズ７ｂ）と光学素子３（ウェッジプリズム）とを一体化したプリズムレンズとしてもよい。
【００３０】
そして、上記のようなメガネタイプの近接目視装置によれば、特定電子機器の表示画面のみならず、書物その他の目視対象を至近距離から目視する場合にも好適に用いることができる。
【００３１】
すなわち、図４に示されるように、目視対象Ｆに正対してそれを至近距離から目視する場合、光学素子３が目視対象Ｆからの光をその入射方向よりも利用者の両眼ＬＥ，ＲＥの中間寄りとなる内向きに屈折させるために、利用者は上述の如く目視対象Ｆの実像ＦＲより遠方にその虚像ＦＶを視認するようになるので、寄目にせずして目視対象Ｆを目視することができる。
【００３２】
次に、図７は光学素子３を接眼位置に保持する保持手段としてマスク６１（フェースマスク）を利用した例を示す。
【００３３】
図７において、マスク６１はその装着者（利用者）の両眼に対応する位置が切抜部６１ａ，６１ｂとして開口されており、その一方の切抜部６１ａに上記例と同じ光学素子３が嵌め込まれて固定されている。そして、そのマスク６１を顔面に装着したとき、光学素子３が利用者の両眼の少なくとも一方（本例では右眼のみ）に近接する接眼位置に保持されるようになっている。
【００３４】
又、図８は光学素子３の保持手段として帽子６２を利用した例である。図８に示されるように、本例において、光学素子３は帽子６２の鍔６２ａにアーム状のジョイント５ｃを介して取り付けられ、利用者の両眼の少なくとも一方（図示例では右眼）に近接する接眼位置に保持されている。尚、ジョイント５ｃは帽子６２の鍔６２ａに対して着脱可能としてもよいし、一体固定式としてもよい。又、帽子６２は硬質のヘルメットでもよい。
【００３５】
以上、本発明に係る近接目視装置について説明したが、光学素子３はウェッジプリズムのみならず、その他のプリズム、あるいは回折素子など利用することができ、要は目視対象に正対してそれを至近距離から目視する場合、目視対象からの光をその入射方向よりも利用者の両眼の中間寄りとなる内向きに屈折させるものであればよい。
【図面の簡単な説明】
【００３６】
【図１】本発明に係る近接目視装置をビデオカメラに適用した例を示す斜視図
【図２】同近接目視装置の使用態様を示す説明図
【図３】本発明に係る近接目視装置を携帯電話機に適用した例を示す斜視図
【図４】本発明に係る近接目視装置の変更例を示す説明図
【図５】光学素子の変更例を示す説明図
【図６】光学素子の変更例を示す説明図
【図７】本発明に係る近接目視装置の変更例を示す斜視概略図
【図８】本発明に係る近接目視装置の変更例を示す正面概略図
【符号の説明】
【００３７】
１ａ  ビデオカメラ本体（電子機器本体）
１１ａ，１１ｂ  携帯電話機本体（電子機器本体）
２  表示装置
２ａ  画面（目視対象）
Ｆ  目視対象
３  光学素子
５ｂ，５ｃ  ジョイント（保持手段）
６  メガネフレーム（保持手段）
６１  マスク（保持手段）
６２  帽子（保持手段）
【図１】
2009265469.tif 000003
【図２】
2009265469.tif 000004
【図３】
2009265469.tif 000005
【図４】
2009265469.tif 000006
【図５】
2009265469.tif 000007
【図６】
2009265469.tif 000008
【図７】
2009265469.tif 000009
【図８】
2009265469.tif 000010